(57)【特許請求の範囲】
【請求項１】
上枠、下枠および左右の縦枠を枠組みして構成される枠体と、前記枠体内にスライド可能に配置される障子とを備える建具であって、
前記上枠および前記下枠のうちの少なくとも一方は、第一枠見付け片部と、第二枠見付け片部と、前記第一枠見付け片部および前記第二枠見付け片部間に位置するレールとを有し、
前記障子は、前記第一枠見付け片部およびレール間に配置される第一障子見付け片部と、前記第二枠見付け片部および前記レール間に配置される第二障子見付け片部とを有し、
前記第一障子見付け片部に取り付けられる第一摺動部材と、前記第二障子見付け片部に取り付けられる第二摺動部材と、前記レールに取り付けられる引寄せ部材および窪み部材とを備え、
前記第一摺動部材は、前記第一障子見付け片部から前記レール側に突出した突出部を有し、前記第二摺動部材は、前記第二障子見付け片部から前記レール側に突出した突出部を有し、前記引寄せ部材は、前記レールの見込み寸法内に収められた取付基部と、前記レールよりも前記第一障子見付け片部側に当該取付基部から突出した突出部とを有し、前記窪み部材は、前記レールの見込み寸法内に収められた取付基部と、前記レールの前記第二障子見付け片部に対向する対向面に対して前記第一障子見付け片部側に窪んで当該取付基部に形成された窪み部を有し、
前記第一摺動部材および前記第二摺動部材のうちの一方の部材は、前記障子のスライド方向に沿って互いに間隔を隔てて少なくとも二つ配置され、当該一方の部材間には、前記第一摺動部材および前記第二摺動部材のうちの他方の部材が配置され、
前記引寄せ部材および前記窪み部材のうちの一方の部材は、前記障子のスライド方向に沿って互いに間隔を隔てて少なくとも二つ配置され、当該一方の部材間には、前記引寄せ部材および前記窪み部材のうちの他方の部材が配置され、
前記障子が閉鎖位置にある状態では、前記第一摺動部材と前記引寄せ部材との突出部同士が前記障子の面外方向に対向して位置し、かつ、前記第二摺動部材の突出部と前記窪み部材の窪み部とが前記障子の面外方向に対向して位置し、
前記障子が閉鎖位置よりも開放位置側にある状態では、前記第一摺動部材と前記第二摺動部材との突出部が前記レールに対して前記障子の面外方向に対向して位置する
ことを特徴とする建具。
【請求項２】
請求項１に記載の建具において、
前記障子が閉鎖位置にある状態では、前記第二摺動部材の突出部は前記窪み部材の窪み部に当接して位置する
ことを特徴とする建具。
【請求項３】
請求項１または請求項２に記載の建具において、
前記第一障子見付け片部は樹脂製であり、
前記第一摺動部材は、前記第一障子見付け片部の長手方向における中央部分に配置される
ことを特徴とする建具。
【請求項４】
請求項１から請求項３のいずれか一項に記載の建具において、
前記枠体の左右一方側に構成される固定窓と、前記障子および前記枠体の戸先側に配置される戸先側引寄せ機構を備える錠装置と、前記障子の戸尻側に配置される戸尻側引寄せ機構とをさらに備え、
前記枠体は中骨を備え、
前記第一枠見付け片部、前記第二枠見付け片部および前記レールは、前記上枠および前記下枠のうちの少なくとも一方に形成され、
前記障子は、樹脂製の上框、下框および左右の縦框と面材とを框組みして構成され、
前記第一障子見付け片部および前記第二障子見付け片部は、前記上框および下框のうちの少なくとも一方に形成され、
前記錠装置の戸先側引寄せ機構は、前記戸先側の縦框および縦枠のうちの一方側に設けられる引寄せ面と、前記戸先側の縦框および縦枠のうちの他方側に設けられる引寄せ受部とを有し、
前記戸先側引寄せ機構は、前記錠装置を解錠状態から施錠状態に操作する際に前記引寄せ面と前記引寄せ受部とを当接させて前記障子の戸先側の縦框を当該障子の面外方向に引き寄せ可能に構成され、
前記戸尻側引寄せ機構は、前記障子の戸尻側の縦框に設けられる係合片部を有し、
前記係合片部は、前記障子の閉鎖状態で前記中骨に係合して前記戸尻側の縦框を前記障子の面外方向に引き寄せ可能に構成される
ことを特徴とする建具。
【発明の詳細な説明】
【技術分野】
【０００１】
本発明は、スライド可能な障子を備える片引き窓、引き違い窓等の建具に関する。
【背景技術】
【０００２】
従来、建具として、同一断面形状の上枠、下枠および左右の縦枠が枠組みされた枠体と、枠体の開口に配置される固定障子と、枠体の開口を開閉可能に配置される移動障子とによって構成される片引き窓が知られている（特許文献１参照）。
【先行技術文献】
【特許文献】
【０００３】
【特許文献１】特許第５１２８４２０号公報
【発明の概要】
【発明が解決しようとする課題】
【０００４】
ところで、片引き窓や引き違い窓などでは、一般に、枠体に気密材を装着し、この気密材に閉鎖位置にある移動障子を密着することによって気密性が維持される。特許文献１に記載の片引き窓においても、上枠や下枠に沿って気密材を装着し、この気密材を閉鎖位置にある移動障子の上縁部や下縁部に密着することによって気密性を維持できる。
しかし、特許文献１に記載の片引き窓では、左右方向に移動する移動障子が気密材に接触したまま摺られるため、移動障子を円滑にスライドさせることが困難である。
【０００５】
また、移動障子を左右方向に移動する際における気密材との摺動抵抗を軽減するため、気密材が位置する移動障子と枠体との間のクリアランスを大きく設定すると、気密材と移動障子との密着が弱まり、気密性が低下するおそれがある。
【０００６】
本発明の目的は、障子の閉鎖状態における気密性を維持できるとともに、障子を円滑にスライド移動できる建具を提供することにある。
【課題を解決するための手段】
【０００７】
本発明の建具は、上枠、下枠および左右の縦枠を枠組みして構成される枠体と、前記枠体内にスライド可能に配置される障子とを備える建具であって、前記上枠および前記下枠のうちの少なくとも一方は、第一枠見付け片部と、第二枠見付け片部と、前記第一枠見付け片部および前記第二枠見付け片部間に位置するレールとを有し、前記障子は、前記第一枠見付け片部およびレール間に配置される第一障子見付け片部と、前記第二枠見付け片部および前記レール間に配置される第二障子見付け片部とを有し、前記第一障子見付け片部に取り付けられる第一摺動部材と、前記第二障子見付け片部に取り付けられる第二摺動部材と、前記レールに取り付けられる引寄せ部材および窪み部材とを備え、前記第一摺動部材は、前記第一障子見付け片部から前記レール側に突出した突出部を有し、前記第二摺動部材は、前記第二障子見付け片部から前記レール側に突出した突出部を有し、前記引寄せ部材は、前記レールの見込み寸法内に収められた取付基部と、前記レールよりも前記第一障子見付け片部側に当該取付基部から突出した突出部とを有し、前記窪み部材は、前記レールの見込み寸法内に収められた取付基部と、前記レールの前記第二障子見付け片部に対向する対向面に対して前記第一障子見付け片部側に窪んで当該取付基部に形成された窪み部を有し、前記第一摺動部材および前記第二摺動部材のうちの一方の部材は、前記障子のスライド方向に沿って互いに間隔を隔てて少なくとも二つ配置され、当該一方の部材間には、前記第一摺動部材および前記第二摺動部材のうちの他方の部材が配置され、前記引寄せ部材および前記窪み部材のうちの一方の部材は、前記障子のスライド方向に沿って互いに間隔を隔てて少なくとも二つ配置され、当該一方の部材間には、前記引寄せ部材および前記窪み部材のうちの他方の部材が配置され、前記障子が閉鎖位置にある状態では、前記第一摺動部材と前記引寄せ部材との突出部同士が前記障子の面外方向に対向して位置し、かつ、前記第二摺動部材の突出部と前記窪み部材の窪み部とが前記障子の面外方向に対向して位置し、前記障子が閉鎖位置よりも開放位置側にある状態では、前記第一摺動部材と前記第二摺動部材との突出部が前記レールに対して前記障子の面外方向に対向して位置することを特徴とする。
【０００８】
本発明の建具によれば、障子が閉鎖位置にある状態では、第一摺動部材の突出部と引寄せ部材の突出部とが障子の面外方向に対向して位置するため、突出部同士が当接して障子を第一枠見付け片部側に引き寄せる。これとともに、第二摺動部材の突出部と窪み部材の窪み部とが障子の面外方向に対向して位置するため、第二摺動部材の突出部が窪み部材の窪み部に入り込んで障子の第一枠見付け片部側への引寄せ規制を解除する。これにより、障子は第一枠見付け片部側に引き寄せられる。従って、第一枠見付け片部に装着される気密材に障子の第一障子見付け片部を密着でき、障子の閉鎖状態における気密性を維持できる。
また、障子が閉鎖位置よりも開放位置側にある状態では、第一摺動部材の突出部がレールに対して障子の面外方向に対向して位置するため、第一摺動部材の突出部が引寄せ部材の突出部から外れて障子の第一枠見付け片部側への引寄せを解除する。これとともに、第二摺動部材の突出部がレールに対して障子の面外方向に対向して位置するため、第二摺動部材の突出部が、窪み部材の窪み部から外れ、レールのうち第二障子見付け片部に対向する対向面に当接して障子を第二枠見付け片部側へ移動する。これにより、障子は第一枠見付け片部から引き離される。従って、第一枠見付け片部に装着される気密材から障子の第一障子見付け片部を離すことができ、スライド移動する障子が気密材に接触したまま摺られることを抑制でき、障子を円滑にスライド移動できる。
【０００９】
本発明の建具では、前記障子が閉鎖位置にある状態では、前記第二摺動部材の突出部は前記窪み部材の窪み部に当接して位置することが好ましい。
このような構成によれば、障子の閉鎖状態における当該障子の面外方向の揺動を、第二摺動部材の突出部と窪み部材の窪み部との当接によって抑制でき、気密性を向上できる。
【００１０】
本発明の建具では、前記第一障子見付け片部は樹脂製であり、前記第一摺動部材は、前記第一障子見付け片部の長手方向における中央部分に配置されることが好ましい。
このような構成によれば、第一摺動部材が引寄せ部材に当接することによって、第一障子見付け片部の長手方向における中央部分を第一枠見付け片部側に直接的に引き寄せることができる。このため、樹脂製の第一障子見付け片部の長手方向における中央部分が撓んで第一枠見付け片部から離れることを抑制でき、気密性を維持できる。
【００１１】
本発明の建具は、前記枠体の左右一方側に構成される固定窓と、前記障子および前記枠体の戸先側に配置される戸先側引寄せ機構を備える錠装置と、前記障子の戸尻側に配置される戸尻側引寄せ機構とをさらに備え、前記枠体は中骨を備え、前記第一枠見付け片部、前記第二枠見付け片部および前記レールは、前記上枠および前記下枠のうちの少なくとも一方に形成され、前記障子は、樹脂製の上框、下框および左右の縦框と面材とを框組みして構成され、前記第一障子見付け片部および前記第二障子見付け片部は、前記上框および下框のうちの少なくとも一方に形成され、前記錠装置の戸先側引寄せ機構は、前記戸先側の縦框および縦枠のうちの一方側に設けられる引寄せ面と、前記戸先側の縦框および縦枠のうちの他方側に設けられる引寄せ受部とを有し、前記戸先側引寄せ機構は、前記錠装置を解錠状態から施錠状態に操作する際に前記引寄せ面と前記引寄せ受部とを当接させて前記障子の戸先側の縦框を当該障子の面外方向に引き寄せ可能に構成され、前記戸尻側引寄せ機構は、前記障子の戸尻側の縦框に設けられる係合片部を有し、前記係合片部は、前記障子の閉鎖状態で前記中骨に係合して前記戸尻側の縦框を前記障子の面外方向に引き寄せ可能に構成されることが好ましい。
このような構成によれば、戸先側引寄せ機構によって戸先側の縦框を障子の面外方向に引き寄せることができ、戸尻側引寄せ機構によって戸尻側の縦框を障子の面外方向に引き寄せることができ、そして、上框および下框のうちの少なくとも一方を、第一摺動部材および引寄せ部材によって障子の面外方向に引き寄せることができる。このため、枠体のうち障子の面外方向における引寄せ側に位置する部分に取り付けられる気密材に対し、障子全体を引き寄せることができ、気密性を向上できる。
【発明の効果】
【００１２】
本発明によれば、障子の閉鎖状態における気密性を維持できるとともに、障子を円滑にスライド移動できる建具を提供できる。
【図面の簡単な説明】
【００１３】
【図１】本発明の実施形態に係る片引き窓を示す内観姿図。
【図２】前記実施形態に係る片引き窓を示す縦断面図。
【図３】前記実施形態に係る片引き窓を示す横断面図。
【図４】前記実施形態に係る片引き窓の可傾戸車を示す縦断面図。
【図５】前記実施形態に係る片引き窓のガイド機構を示す説明図。
【図６】前記実施形態に係る片引き窓の第一摺動部材を示す説明図。
【図７】前記実施形態に係る片引き窓の第二摺動部材を示す説明図。
【図８】前記実施形態に係る片引き窓の上ガイド機構の引寄せ部材を示す説明図。
【図９】前記実施形態に係る片引き窓の窪み部材を示す説明図。
【図１０】前記実施形態に係る片引き窓の下ガイド機構の引寄せ部材を示す説明図。
【図１１】前記実施形態に係る片引き窓の上ガイド機構の動作を示す模式図。
【図１２】前記実施形態に係る片引き窓の下ガイド機構の動作を示す模式図。
【図１３】前記実施形態に係る片引き窓の錠部材を示す説明図。
【図１４】前記実施形態に係る片引き窓の錠受けを示す説明図。
【図１５】前記実施形態に係る片引き窓の錠装置の施錠状態を示す横断面図。
【図１６】前記実施形態に係る片引き窓の錠装置の解錠状態を示す横断面図。
【図１７】前記実施形態に係る片引き窓の錠装置の動作を示す説明図。
【図１８】前記実施形態に係る片引き窓の錠装置の動作を示す説明図。
【発明を実施するための形態】
【００１４】
［本実施形態の構成］
以下、本発明の実施形態を図面に基づいて説明する。
図１〜３において、本実施形態に係る建具である片引き窓１は、建物躯体の開口部に設置されるものであり、窓枠２（枠体）と、図１に示す窓枠２の左半分側に構成される固定窓３と、窓枠２内に左右方向にスライド可能に配置された障子４と、障子４のスライド移動において当該障子４を面外方向にガイドするガイド機構５と、障子４を窓枠２に対し施錠および解錠する錠装置７と、錠装置７の施錠および解錠を操作する操作機構９とを備えている。
【００１５】
窓枠２は、上枠２１、下枠２２および左右の縦枠２３，２４を四周枠組みし、縦枠２３，２４間に中骨２５を設けて構成されている。上枠２１、下枠２２、左右の縦枠２３，２４および中骨２５は、樹脂製の押出形材によって形成された樹脂枠材である。図１において右側に示す縦枠２３は、障子４に対して戸先側に位置しており、後述する戸先側の縦框４３が当接する戸先側の縦枠を構成している。図１において左側に示す縦枠２４は、障子４に対して戸尻側に位置する戸尻側の縦枠を構成している。
【００１６】
上枠２１、下枠２２および左右の縦枠２３，２４は、枠室外見付け片部２０１、枠見込み片部２０２および枠室内見付け片部２０３をそれぞれ有している。枠見込み片部２０２は、枠室外見付け片部２０１よりも室外側に延出して形成されている。
上枠２１、下枠２２、縦枠２３の各枠室外見付け片部２０１と中骨２５とには、閉鎖位置にある障子４に対向して位置する気密材２６が四周連続して取り付けられている。
上枠２１には、障子４を左右方向にスライド案内する上レール２１１（レール）が形成されており、下枠２２には、障子４を左右方向にスライド案内する下レール２２１（レール）が形成されている。
なお、縦枠２４には、障子４の後述する戸尻側の縦框４４が当接するストッパー部材２４１が装着されている。
【００１７】
固定窓３は、複層ガラス等からなる面材３１の周縁が上枠２１、下枠２２、縦枠２４および中骨２５に形成される開口に嵌め殺しされて構成されている。面材３１の室内面側周縁は、上枠２１、下枠２２、縦枠２４の各枠室外見付け片部２０１と中骨２５の枠室内見付け片部２５１とに当接している。面材３１の室外側周縁は、上枠２１、下枠２２、縦枠２４および中骨２５に装着された押縁２７に当接している。
【００１８】
障子４は、上框４１、下框４２、左右の縦框４３，４４および複層ガラス等からなる面材４５を四周框組みして構成されている。上框４１、下框４２および左右の縦框４３，４４は、樹脂製の押出形材によって形成された樹脂框材である。図１において右側に示す縦框４３は戸先側の縦框であり、図１に示す縦框４４は戸尻側の縦框である。
上框４１、下框４２および左右の縦框４３，４４は、框室外見付け片部４０１、框見込み片部４０２および框室内見付け片部４０３をそれぞれ有している。
【００１９】
上框４１の框室外見付け片部４０１（第一障子見付け片部）、框見込み片部４０２および框室内見付け片部４０３（第二障子見付け片部）は上溝部４１１を形成している。上框４１の框室外見付け片部４０１および框室内見付け片部４０３は、障子４の面外方向において上枠２１の枠室外見付け片部２０１（第一枠見付け片部）と枠室内見付け片部２０３（第二枠見付け片部）との間に配置されている。上溝部４１１には、上レール２１１と、後述する上ガイド機構５０とが配置されている。上框４１の框室外見付け片部４０１は、上レール２１１に対して障子４の面外方向における引寄せ側（本実施形態では室外側）に位置している。また、上框４１の框室内見付け片部４０３は、上レール２１１に対して障子４の面外方向における引寄せ側とは反対側である引離し側（本実施形態では室内側）に位置している。
【００２０】
下框４２の框室外見付け片部４０１（第一障子見付け片部）、框見込み片部４０２および框室内見付け片部４０３（第二障子見付け片部）は下溝部４２１を形成している。下框４２の框室外見付け片部４０１および框室内見付け片部４０３は、障子４の面外方向において下枠２２の枠室外見付け片部２０１（第一枠見付け片部）と枠室内見付け片部２０３（第二枠見付け片部）との間に配置されている。下溝部４２１には、可傾戸車４６と、下レール２２１と、後述する下ガイド機構６０とが配置されている。下框４２の框室外見付け片部４０１は、下レール２２１に対して障子４の面外方向における引寄せ側に位置している、また、下框４２の框室内見付け片部４０３は、下レール２２１に対して障子４の面外方向における引離し側に位置している。
【００２１】
ここで、可傾戸車４６は、図４に示すように、下溝部４２１に配置されて下框４２に取り付けられる断面略コ字状の取付枠４６１と、取付枠４６１内に配置される可傾枠４６２と、可傾枠４６２に回転可能に支持される戸車４６３とを備えている。可傾枠４６２は、取付枠４６１に対して左右方向に沿う仮想軸を中心として、直立状態から室外側に傾動可能に配置されている。戸車４６３は、下レール２２１に走行可能に係合している。
【００２２】
図４（Ａ）に示すように戸車４６３が直立状態では、可傾枠４６２の上片部は取付枠４６１の上片部に沿って当接配置される。また、図４（Ｂ）に示す室外側への傾斜状態では、可傾枠４６２の取付枠４６１への当接部分は、戸車４６３が下レール２２１に当接する部分よりも障子４の面外方向における室外側に位置する。このため、可傾戸車４６には、障子４の自重に基づいて傾斜状態から直立状態へ復帰する力が与えられる。
錠装置７が施錠状態にある場合には、障子４の室内側への移動が規制され、可傾戸車４６の傾斜状態が維持される。また、錠装置７が解錠状態にある場合には、可傾戸車４６は、障子４の自重に基づいて直立状態に復帰し、障子４は室内側へ移動し、気密材２６から離間する。
【００２３】
縦框４３の框室外見付け片部４０１、框見込み片部４０２および框室内見付け片部４０３は、縦溝部４３１を形成している。縦框４３の框室外見付け片部４０１および框室内見付け片部４０３は、障子４が閉鎖位置にある状態で、当該障子４の面外方向において縦枠２３の枠室外見付け片部２０１と枠室内見付け片部２０３との間に配置される。縦溝部４３１には、後述する錠部材７０が配置されている。
【００２４】
縦框４４は、片引き窓１の召合せ框（戸尻側の縦框）として構成されている。この縦框４４および中骨２５には、片引き窓１の閉鎖状態で互いに係合する係合片部４４１，２５２がそれぞれ形成されている。係合片部４４１，２５２は、縦框４４および中骨２５に沿って上部、中央部および下部にそれぞれ形成されている。係合片部４４１は、障子４の開放移動によって係合片部２５２から外れ、障子４の閉鎖移動によって係合片部２５２に係合し、縦框４４が室外側へ引き寄せられる。この中骨の係合片部２５２に係合する係合片部４４１によって戸尻側引寄せ機構８が構成されている。
【００２５】
ガイド機構５は、図２に示すように、上枠２１側に設置されている上ガイド機構５０と、下枠２２側に設置されている下ガイド機構６０とを備えている。
上ガイド機構５０は、障子４を左右方向および面外方向にガイドする機構である。上ガイド機構５０は、図５（Ａ）に示すように、上框４１の框室外見付け片部４０１に取り付けられる一つの第一摺動部材５１と、上框４１の框室内見付け片部４０３に取り付けられる二つの第二摺動部材５２（５２Ａ，５２Ｂ）と、上レール２１１に取り付けられる一つの引寄せ部材５４と、上レール２１１に取り付けられる二つの窪み部材５５（５５Ａ，５５Ｂ）とを備えている。
【００２６】
第一摺動部材５１、第二摺動部材５２Ａ，５２Ｂ、引寄せ部材５４、窪み部材５５Ａ，５５Ｂは、ポリアセタール等（ＰＯＭ）の樹脂製材料によってそれぞれ形成されている。
第一摺動部材５１は、上框４１の框室外見付け片部４０１の長手方向における中央部分に配置されている。第二摺動部材５２Ａは第一摺動部材５１に対して戸先側に配置されている。第二摺動部材５２Ｂは第一摺動部材５１に対して戸尻側に配置されている。
引寄せ部材５４は、図５（Ａ）に示すように障子４が閉鎖位置にある状態で、第一摺動部材５１に対して障子４の面外方向に対向する位置に配置されている。窪み部材５５Ａは、障子４が閉鎖位置にある状態で、第二摺動部材５２Ａに対して障子４の面外方向に対向する位置に配置されている。窪み部材５５Ｂは、障子４が閉鎖位置にある状態で、第二摺動部材５２Ｂに対して障子４の面外方向に対向する位置に配置されている。
【００２７】
第一摺動部材５１は、図６に示すように、取付基部５１１と、突出部５１２とを有している。突出部５１２は、取付基部５１１の上部から突出しており、平面視半円状に形成されている。突出部５１２の下部は、取付基部５１１に連続しているリブ５１３によって補強されている。
第一摺動部材５１は、障子４の面外方向に沿うとともに突出部５１２の円弧中心を通る対称軸を基準として左右対称に形成されている。
取付基部５１１から突出部５１２の突出端までの突出長さ寸法Ｌ１（本実施形態では突出部５１２の半径寸法と同じ）は、後述する突出長さ寸法Ｌ２よりも短く設定されている。
この第一摺動部材５１は、取付基部５１１が上框４１の框室外見付け片部４０１の切欠き部分に嵌め込まれることによって取り付けられ、突出部５１２は框室外見付け片部４０１から室内側に突出して配置される。
【００２８】
第二摺動部材５２Ａ，５２Ｂは互いに同様に形成されている。
第二摺動部材５２は、図７に示すように、取付基部５２１と、突出部５２２とを有している。突出部５２２は、取付基部５２１の上部から突出しており、平面視半円状に形成されている。突出部５２２の下部は、取付基部５２１に連続している二つのリブ５２３によって補強されている。
第二摺動部材５２は、障子４の面外方向に沿うとともに突出部５２２の円弧中心を通る対称軸を基準として左右対称に形成されている。
取付基部５２１から突出部５２２の突出端までの突出長さ寸法Ｌ２（本実施形態では突出部５２２の半径寸法と同じ）は、前述した突出長さ寸法Ｌ１よりも長く設定されている。
この第二摺動部材５２は、取付基部５２１が上框４１の框室内見付け片部４０３の切欠き部分に嵌め込まれることによって取り付けられ、突出部５２２は框室内見付け片部４０３から室外側に突出して配置される。第二摺動部材５２Ａから第一摺動部材５１までの左右方向における間隔は、第二摺動部材５２Ｂから第一摺動部材５１までの左右方向における間隔と同じである。
【００２９】
引寄せ部材５４は、図８に示すように、取付基部５４１と、突出部５４２とを有している。突出部５４２は、取付基部５４１の左右方向における中央部分から突出して形成されており、当該突出部５４２の左右両側部分にはテーパー面５４３がそれぞれ形成されている。
引寄せ部材５４は、障子４の面外方向に沿うとともに当該引寄せ部材５４の中央を通る対称軸を基準として左右対称に形成されている。
この引寄せ部材５４は、取付基部５４１が上レール２１１の切欠き部分に嵌め込まれることによって取り付けられ、突出部５４２は、上レール２１１のうち上框４１の框室外見付け片部４０１に対向する対向面よりも室外側に突出して配置される。
【００３０】
窪み部材５５Ａ，５５Ｂは同様に形成されている。
窪み部材５５は、図９に示すように、取付基部５５１と、取付基部５５１に形成された窪み部５５２とを有している。窪み部５５２は、取付基部５５１の左右方向における中央側に位置する底面５５３と、底面５５３の左右方向両側部分に形成されたテーパー面５５４とによって形成されている。
窪み部材５５は、障子４の面外方向に沿うとともに当該窪み部材５５の中央を通る対称軸を基準として左右対称に形成されている。
この窪み部材５５は、取付基部５５１が上レール２１１の切欠き部分に嵌め込まれることによって取り付けられ、窪み部５５２は、上レール２１１のうち上框４１の框室内見付け片部４０３に対向する対向面よりも室外側に窪んで配置される。窪み部材５５Ａから引寄せ部材５４までの左右方向における間隔は、窪み部材５５Ｂから引寄せ部材５４までの左右方向における間隔と同じである。
【００３１】
この上ガイド機構５０では、図１１（Ａ）に示す障子４の開放位置（全開位置）から図１１（Ｂ）に示す障子４の閉鎖直前位置を経て図１１（Ｃ）に示す障子４の閉鎖位置（全閉位置）まで障子４がスライド移動するととともに、当該障子４に取り付けられた第一摺動部材５１および第二摺動部材５２Ａ，５２Ｂが左右方向に移動する。
【００３２】
下ガイド機構６０は、障子４を面外方向にガイドする機構である。下ガイド機構６０は、図５（Ｂ）に示すように、下框４２の框室外見付け片部４０１に取り付けられる前述した一つの第一摺動部材５１と、下框４２の枠見込み片部２０２に取り付けられる一つの引寄せ部材６４とを備えている。下ガイド機構６０の第一摺動部材５１は上ガイド機構５０の第一摺動部材５１と同様に形成されている。
【００３３】
下ガイド機構６０の第一摺動部材５１は、框室外見付け片部４０１の長手方向における中央部分に形成された切欠き部分に上下逆向きに嵌め込まれることによって取り付けられ、突出部５１２が框室外見付け片部４０１から室内側に突出して配置される。
【００３４】
引寄せ部材６４は、図１０に示すように、取付基部６４１と、引寄せ部６４２（突出部）とを有している。取付基部６４１は、左右方向に並んだ二つの孔形成部６４３を有している。孔形成部６４３の下部は、図１０（Ｃ）に示すように円筒形状であって三分割されて形成されている。孔形成部６４３は、当該孔形成部６４３に形成された孔にビスがねじ込まれた際に下部が変形して拡径する構成となっている。
【００３５】
引寄せ部６４２は、取付基部６４１から上方に突出して形成されている。引寄せ部６４２の左右方向両側部分にはテーパー面６４４がそれぞれ形成されている。
引寄せ部材６４は、障子４の面外方向に沿うとともに当該引寄せ部材６４の中央を通る対称軸を基準として左右対称に形成されている。
【００３６】
この引寄せ部材６４は、取付基部６４１の各孔形成部６４３の下部が下枠２２の枠見込み片部２０２に形成された孔に挿入され、各孔形成部６４３にビスがねじ込まれて当該各孔形成部６４３の下部が拡径変形することによって、当該枠見込み片部２０２に取り付けられる。このように取付基部６４１が下枠２２に取り付けられると、引寄せ部６４２は、下レール２２１から室外側に突出して配置される。
【００３７】
この下ガイド機構６０では、図１２（Ａ）に示す障子４の開放位置（全開位置）から図１２（Ｂ）に示す障子４の閉鎖直前位置を経て図１２（Ｃ）に示す障子４の閉鎖位置（全閉位置）まで障子４がスライド移動するとともに、当該障子４に取り付けられた下ガイド機構６０の第一摺動部材５１が左右方向に移動する。
【００３８】
錠装置７は、本実施形態では、片引き窓１の戸先側の上部、中央部および下部にそれぞれ設置されており、それぞれ同様に構成されている。従って、以下、中央部の錠装置７について詳細に説明し、上部および下部の錠装置７については説明を省略する。
【００３９】
錠装置７は、戸先側の縦框４３に取り付けられる錠部材７０（本実施形態ではグレモン錠）と、戸先側の縦枠２４に取り付けられる錠受け８０とを有している。
【００４０】
錠部材７０は、図１３に示すように、錠基部７１と、係合片部７２と、ガイド溝７３とを有している。
錠基部７１は、基片部７１１と、基片部７１１の室内縦縁に連続する取付片部７１２と、取付片部７１２の室外縦縁に連続する折曲片部７１３とを有している。
基片部７１１は、縦框４３の框見込み片部４０２に沿って配置される。
取付片部７１２は、基片部７１１の室内縦縁から戸先側に向かって傾斜している。取付片部７１２には取付孔７１２Ａが形成されており、取付孔７１２Ａにビスを介して後述するハンドル９１の回転操作に連動して上下移動する連動部材に取り付けられている。
折曲片部７１３は、基片部７１１の室外縦縁から戸先側へ折曲して形成されており、その戸先側縦縁に係合片部７２が連続している。
【００４１】
係合片部７２は、錠基部７１の折曲片部７１３の戸先側縦縁から室内側に向かって折曲して形成された縦片部７２１と、縦片部７２１の下縁から下方に延出した傾斜片部７２２とを有している。縦片部７２１は、基片部７１１と平行に配置されている。
傾斜片部７２２の基片部７１１側の面によって押付け面７５が形成されており、傾斜片部７２２の室内側面によって引寄せ面７６が形成されている。
【００４２】
押付け面７５は、本実施形態では、障子４の面外方向に平行であって、当該押付け面７５の下縁が上縁よりも戸先側に位置するように左右方向に対して傾斜している。
押付け面７５には、錠部材７０が施錠開始位置（図１７（Ａ）参照）にあるときに後述する押付け受部８５に当接する第一押付け部７５１と、錠部材７０が施錠終了位置（図１７（Ｂ）参照）にあるときに押付け受部８５に当接する第二押付け部７５２とがある。第二押付け部７５２は、第一押付け部７５１よりも戸尻側に配置されている。
【００４３】
引寄せ面７６は、左右方向に平行であって、当該引寄せ面７６の下縁が上縁よりも室内側に位置するように障子４の面外方向に対して傾斜している。
引寄せ面７６には、錠部材７０が施錠開始位置（図１８（Ａ）参照）にあるときに後述する引寄せ受部８６に当接する第一引寄せ部７６１と、錠部材７０が施錠終了位置（図１８（Ｂ）参照）にあるときに引寄せ受部８６に当接する第二引寄せ部７６２とがある。第二引寄せ部７６２は、第一引寄せ部７６１よりも障子４の面外方向における室内側に配置されている。
【００４４】
ガイド溝７３は、図１３（Ａ）に示すように、錠基部７１の基片部７１１に形成された上ガイド溝７３１および下ガイド溝７３２を有している。
上ガイド溝７３１および下ガイド溝７３２は、それぞれ上下方向に延びて形成されており、縦框４３に固定されたガイドピン４３２にそれぞれ嵌合している。これにより、錠部材７０は縦框４３に図１７（Ａ）に示す施錠開始位置から図１７（Ｂ）に示す施錠終了位置まで上下移動可能に取り付けられる。
上ガイド溝７３１は、上下方向において係合片部７２に対して上側寄りに位置している。下ガイド溝７３２は、上下方向において係合片部７２に対して下側寄りに位置している。
【００４５】
錠受け８０は、図１４に示すように、錠受け基部８１と、係合受け部８２とを有している。錠受け基部８１は、縦枠２３にボルト止めされている。
係合受け部８２は、錠受け基部８１に固定された係合ピン８２１と、係合ピン８２１に回転可能に装着されたローラー８２２とを備えている。
係合ピン８２１は、図１５，１６に示すように、錠受け基部８１から左右方向において縦框４３側に向かって突出しており、その先端に鍔部８２１Ａを有している。鍔部８２１Ａは、ローラー８２２の表面よりも室外側に延出して形成されている。
鍔部８２１Ａのうちローラー８２２よりも室外側の部分によって押付け面７５に当接する押付け受部８５が形成されている。
また、ローラー８２２の表面によって引寄せ面７６に当接する引寄せ受部８６が形成されている。
【００４６】
本実施形態では、錠部材７０に形成された押付け面７５と、錠受け８０に形成された押付け受部８５とによって押付け機構７９が構成されている。
また、本実施形態では、錠部材７０に形成された引寄せ面７６と、錠受け８０に形成された引寄せ受部８６とによって引寄せ機構８９（戸先側引寄せ機構）が構成されている。
【００４７】
操作機構９は、ハンドル９１と、ハンドル９１の回転操作に連動して上下移動する連動部材とを備えている。この連動部材は、上下方向に延びて形成されており、縦框４３の上部、中央部および下部にそれぞれ配置された錠部材７０の取付片部７１２が取り付けられている。
【００４８】
［本実施形態の動作］
以下、本実施形態に係る片引き窓１の障子４の閉鎖移動および施錠動作について説明する。
先ず、開放位置にある障子４を手動により戸先側に向かって閉鎖移動する。このとき、障子４はガイド機構５によって左右方向に沿ってガイドされる。具体的には、図１１（Ａ）に示すように、上ガイド機構５０の第一摺動部材５１の突出部５１２が上レール２１１の室外側の面に摺動可能に当接し、かつ、第二摺動部材５２Ａ，５２Ｂの突出部５２２が上レール２１１の室内側の面に摺動可能に当接することで、障子４は左右方向にガイドされる。
なお、可傾戸車４６は、障子４の自重に基づいて直立状態を維持したまま下レール２２１に沿って走行する。
【００４９】
障子４が開放位置から図１１（Ｂ）に示す閉鎖直前位置（本実施形態では閉鎖位置よりも１０．６ｍｍ戸尻側寄りの位置）に到達すると、上ガイド機構５０の第一摺動部材５１の突出部５１２が引寄せ部材５４の突出部５４２のテーパー面５４３に当接し、これとともに、第二摺動部材５２Ａ，５２Ｂの突出部５２２が窪み部材５５Ａ，５５Ｂのテーパー面５５４と対向して位置する。
ここで、第二摺動部材５２Ａ，５２Ｂおよび窪み部材５５Ａ，５５Ｂは、第一摺動部材５１の突出部５１２が引寄せ部材５４の突出部５４２に対して非当接状態で、各突出部５２２が各窪み部５５２と対向開始する位置に配置されていてもよい。
【００５０】
さらに障子４が閉鎖移動すると、第一摺動部材５１がテーパー面５４３に沿って室外側に移動して、障子４の上框４１を室外側へ引き寄せる。これとともに、第二摺動部材５２Ａ，５２Ｂが窪み部材５５Ａ，５５Ｂの窪み部５５２に深く入り込み、障子４の上部の室外側への引寄せを許容する。図１１（Ｃ）に示すように障子４が閉鎖位置に到達すると、第一摺動部材５１の突出部５１２と引寄せ部材５４の突出部５４２とが当接状態で障子４の面外方向に対向して位置し、第二摺動部材５２Ａ，５２Ｂの各突出部５２２と窪み部材５５Ａ，５５Ｂの各窪み部５５２とが当接状態で障子４の面外方向に対向して位置する。このように、障子４の上框４１の框室外見付け片部４０１を上枠２１の枠室外見付け片部２０１に引き寄せた状態となる。
【００５１】
図１２（Ｂ）、図１２（Ｃ）に示すように、障子４が前記閉鎖直前位置から閉鎖移動することにより、下ガイド機構６０の第一摺動部材５１の突出部５１２が引寄せ部材６４の引寄せ部６４２のテーパー面６４４に沿って室外側に移動し、障子４の下框４２を下枠２２の枠室外見付け片部２０１側に引き寄せた状態となる。なお、下框４２の前記引寄せにより、可傾戸車４６は直立状態から室外側へ傾動する。
また、障子４の戸尻側では、当該障子４が前記閉鎖直前位置から閉鎖移動することにより、戸尻側引寄せ機構８の係合片部４４１が、中骨２５の係合片部２５２に係合しながら障子４の縦框４４を中骨２５側に引き寄せる。
【００５２】
障子４が閉鎖移動により図１６に示す位置（本実施形態では閉鎖位置よりも１０ｍｍ戸尻側寄りの位置）に到達した状態では、各錠装置７は障子４を施錠可能状態となる。錠装置７による施錠動作は次の通りである。
先ず、ハンドル９１の回転操作により各錠装置７の錠部材７０を解錠位置から図１７（Ａ）に示す施錠開始位置まで下方に移動する。ここで、錠部材７０の解錠位置は施錠開始位置よりも上方の位置であって係合片部７２が係合受け部８２から離間した位置である。
錠部材７０が施錠開始位置に配置されると、傾斜片部７２２の押付け面７５における第一押付け部７５１が、係合ピン８２１の鍔部８２１Ａにおける押付け受部８５に当接する。またこのとき、図１８（Ａ）に示すように、傾斜片部７２２の引寄せ面７６における第一引寄せ部７６１が、ローラー８２２の表面における引寄せ受部８６に当接する。
【００５３】
続いて、錠部材７０がさらに下方に移動すると、押付け面７５は押付け受部８５に当接しながら下方に位置変化するので、押付け面７５の押付け受部８５への当接部位は、第一押付け部７５１から縦框４３側に移行する。このとき、押付け面７５には、左右方向における縦枠２３側への押付け力が生じるので、障子４は縦枠２３に向かってさらに１０ｍｍほど閉鎖移動し、縦框４３が縦枠２３側に押し付けられる。図１７（Ｂ）に示すように錠部材７０が施錠終了位置に配置されると、押付け面７５の第二押付け部７５２が押付け受部８５に当接する。
また、引寄せ面７６は、引寄せ受部８６に当接しながら下方に位置変化するので、引寄せ面７６の引寄せ受部８６への当接部位は、第一引寄せ部７６１から室外側へ移行する。このとき、引寄せ面７６には、障子４の面外方向における室内側への引寄せ力が生じるので、障子４は、室外側に向かって４ｍｍほど移動し、障子４は、窓枠２に装着された気密材２６に当接する。錠部材７０が施錠終了位置に配置されると、図１８（Ｂ）に示すように、引寄せ面７６の第二引寄せ部７６２が引寄せ受部８６に当接し、障子４は気密材２６に密着する。
このようにして、図１５に示すように、戸先側の各錠装置７によって障子４が窓枠２に施錠される。
障子４の施錠状態では、上ガイド機構５０によって上框４１が室外側へ引き寄せられ、下ガイド機構６０によって下框４２が室外側へ引き寄せられ、戸尻側引寄せ機構８によって戸尻側の縦框４４が室外側へ引き寄せられ、そして、錠装置７の引寄せ機構８９（戸先側引寄せ機構）によって戸先側の縦框４３が室外側へ引き寄せられた状態となる。このため、障子４の閉鎖状態では、障子４の四周全体が気密材２６に押し当てられて密着し、気密性が維持される。
【００５４】
以下、本実施形態に係る片引き窓１の解錠動作および障子４の開放移動について説明する。
先ず、各錠装置７による施錠状態で、ハンドル９１の回転操作により各錠部材７０を施錠終了位置から施錠開始位置を経て解錠位置まで上方へ移動する。この移動により、傾斜片部７２２の押付け面７５は押付け受部８５から上方へ離間し、錠部材７０が解錠位置に配置されると、傾斜片部７２２の下縁は係合ピン８２１の鍔部８２１Ａよりも上方に位置する。また、錠部材７０の上方への移動により、引寄せ面７６は、引寄せ受部８６から離間する。このようにして各錠装置７による施錠を解錠する。
【００５５】
次に、閉鎖位置にある障子４を手動により戸尻側に向かって開放移動する。この開放移動における障子４の上部動作は次の通りである。
上ガイド機構５０の第一摺動部材５１は障子４の開放位置側に移動し、その突出部５１２が引寄せ部材５４の突出部５４２から外れ、上レール２１１の室外側の面に対向する。また、第二摺動部材５２Ａ、５２Ｂは障子４の開放位置側に移動し、各突出部５２２が窪み部材５５Ａ，５５Ｂの各窪み部５５２から外れ、上レール２１１の室内側の面に対向する。このとき、各突出部５２２は、窪み部５５２の底面５５３からテーパー面５５４に沿って摺動案内され、障子４を室内側に移動する。これにより、上框４１の框室外見付け片部４０１は上枠２１の枠室外見付け片部２０１から引き離される。障子４の引離し状態では、第一摺動部材５１の突出部５１２は上レール２１１の室外側の面に摺動可能に当接し、第二摺動部材５２Ａ，５２Ｂの各突出部５２２は上レール２１１の室内側の面に摺動可能に当接する。これにより、上ガイド機構５０は、上框４１を室内側に引き離した状態で開放移動を左右方向にガイドする。
【００５６】
前述した障子４の閉鎖移動における当該障子４の下部動作は次の通りである。
下ガイド機構６０の第一摺動部材５１は障子４の開放位置側に移動し、その突出部５１２が引寄せ部材６４の引寄せ部６４２から外れ、下レール２２１の室外側の面に対向する。このため、下ガイド機構６０による下框４２の室外側への引寄せは解除される。なお、可傾戸車４６は障子４の自重に基づいて傾斜状態から直立状態となり、この直立状態となる動きによって下框４２を室内側に移動し、下框４２の框室外見付け片部４０１を下枠２２の枠室外見付け片部２０１から引き離す。
また、前述した障子４の閉鎖移動により、戸尻側引寄せ機構８の係合片部４４１は中骨２５の係合片部２５２から外れ、戸尻側の縦框４３の室外側への引寄せを解除する。
このように、障子４の四周全体が気密材２６から引き離されて離間し、離間した状態で、障子４は開口位置まで円滑に開放移動する。
【００５７】
［本実施形態の効果］
（１）本実施形態では、片引き窓１は、上枠２１、下枠２２および左右の縦枠２３，２４を枠組みして構成される窓枠２と、窓枠２内にスライド可能に配置される障子４とを備える片引き窓１であって、上枠２１は、枠室外見付け片部２０１と、枠室内見付け片部２０３と、当該枠室外見付け片部２０１および枠室内見付け片部２０３間に位置する上レール２１１とを有し、障子４は、上枠２１の枠室外見付け片部２０１および上レール２１１間に配置される上框４１の框室外見付け片部４０１と、上枠２１の枠室内見付け片部２０３および上レール２１１間に配置される上框４１の框室内見付け片部４０３とを有し、上框４１の框室外見付け片部４０１に取り付けられる第一摺動部材５１と、上框４１の框室内見付け片部４０３に取り付けられる二つの第二摺動部材５２Ａ，５２Ｂと、上レール２１１に取り付けられる引寄せ部材５４および二つの窪み部材５５Ａ，５５Ｂとを備え、第一摺動部材５１は、上框４１の框室外見付け片部４０１から上レール２１１側に突出した突出部５１２を有し、第二摺動部材５２Ａ，５２Ｂは、上框４１の框室内見付け片部４０３から上レール２１１側に突出した突出部５２２を有し、引寄せ部材５４は、上レール２１１から上框４１の框室外見付け片部４０１側に突出した突出部５４２を有し、窪み部材５５Ａ，５５Ｂは、上框４１の框室内見付け片部４０３に対向する上レール２１１の対向面から上框４１の框室外見付け片部４０１側に窪んだ窪み部５５２を有し、第二摺動部材５２Ａ，５２Ｂは、互いに左右方向に離れて配置され、第二摺動部材５２Ａ，５２Ｂ間には、第一摺動部材５１が配置され、窪み部材５５Ａ，５５Ｂは、互いに左右方向に離れて配置され、窪み部材５５Ａ，５５Ｂには、引寄せ部材５４が配置され、障子４が閉鎖位置にある状態では、第一摺動部材５１と引寄せ部材５４との突出部５１２，５４２同士が障子４の面外方向に対向して位置し、かつ、第二摺動部材５２Ａ，５２Ｂの突出部５２２と窪み部材５５Ａ，５５Ｂの窪み部５５２とが障子４の面外方向に対向して位置し、障子４が閉鎖位置よりも開放位置側にある状態では、第一摺動部材５１と第二摺動部材５２Ａ，５２Ｂとの突出部５１２，５２２が上レール２１１に対して障子４の面外方向に対向して位置することを特徴とする。
上記構成を有するため、障子４が閉鎖位置にある状態では、第一摺動部材５１の突出部５１２と引寄せ部材５４の突出部５４２とが障子４の面外方向に対向して位置するため、突出部５１２，５４２同士が当接して障子４の上框４１を上枠２１の枠室外見付け片部２０１側に引き寄せる。これとともに、第二摺動部材５２Ａ，５２Ｂの突出部５２２と窪み部材５５Ａ，５５Ｂの窪み部５５２とが障子４の面外方向に対向して位置するため、第二摺動部材５２Ａ，５２Ｂの突出部５１２が窪み部材５５Ａ，５５Ｂの窪み部５５２に入り込んで上框４１の枠室外見付け片部２０１側への引寄せ規制を解除する。これにより、障子４は室外側に引き寄せられ、枠室外見付け片部２０１に装着された気密材２６に障子４を密着でき、障子４の閉鎖状態における気密性を維持できる。
また、障子４が閉鎖位置よりも開放位置側にある状態では、第一摺動部材５１の突出部５１２が上レール２１１に対して障子４の面外方向に対向して位置するため、第一摺動部材５１の突出部５１２が引寄せ部材５４の突出部５４２から外れて上框４１の引寄せを解除する。これとともに、第二摺動部材５２Ａ，５２Ｂの突出部５２２が上レール２１１に対して障子４の面外方向に対向して位置するため、第二摺動部材５２Ａ，５２Ｂの突出部が、窪み部材５５Ａ，５５Ｂの窪み部５５２から外れ、上レール２１１のうち框室内見付け片部４０３に対向する対向面に当接して障子４の上框４１を上枠２１の枠室内見付け片部２０３側へ移動する。これにより、障子４は室外側へ引き離される。従って、気密材２６から障子４の框室外見付け片部４０１を離すことができ、左右方向にスライド移動する障子４が気密材２６に接触したまま摺られることを抑制でき、障子４を円滑にスライド移動できる。
さらに、本実施形態では、以下の各効果を発揮できる。
（２）障子４が閉鎖位置にある状態では、第二摺動部材５２Ａ，５２Ｂの突出部５２２は窪み部材５５Ａ，５５Ｂの窪み部５５２に当接して位置する。
このため、障子４の閉鎖状態における面外方向の揺動を、第二摺動部材５２Ａ，５２Ｂの突出部５２２と窪み部材５５Ａ，５５Ｂの窪み部５５２との当接によって抑制でき、気密性を向上できる。
（３）框室外見付け片部４０１は樹脂製であり、第一摺動部材５１は、框室外見付け片部４０１の長手方向における中央部分に配置される。
このため、第一摺動部材５１が引寄せ部材５４に当接することによって、框室外見付け片部４０１の長手方向における中央部分を枠室外見付け片部２０１側に直接的に引き寄せることができる。これにより、樹脂製の框室外見付け片部４０１の長手方向における中央部分が撓んで枠室外見付け片部２０１から離れることを抑制でき、気密性を維持できる。
（４）窓枠２に構成される固定窓３と、障子４および窓枠２の戸先側に配置される引寄せ機構８９を備える錠装置７と、障子４の戸尻側に配置される戸尻側引寄せ機構８とを備え、窓枠２は中骨２５を備え、枠室外見付け片部２０１、枠室内見付け片部２０３および上レール２１１は、上枠２１に形成され、障子４は、樹脂製の上框４１、下框４２および左右の縦框４３，４４と面材４５とを框組みして構成され、框室外見付け片部４０１および框室内見付け片部４０３は、上框４１に形成され、錠装置７の引寄せ機構８９は、縦框４３側に設けられる引寄せ面７６と、縦枠２３に設けられる引寄せ受部８６とを有し、引寄せ機構８９は、錠装置７を解錠状態から施錠状態に操作する際に引寄せ面７６と引寄せ受部８６とを当接させて障子４の戸先側の縦框４３を当該障子４の面外方向に引き寄せ可能に構成され、戸尻側引寄せ機構８は、障子４の戸尻側の縦框４４に設けられる係合片部４４１を有し、係合片部４４１は、障子４の閉鎖状態で中骨２５に係合して戸尻側の縦框４４を障子４の面外方向に引き寄せ可能に構成される。
このため、引寄せ機構８９によって戸先側の縦框４３を障子４の面外方向に引き寄せることができ、戸尻側引寄せ機構８によって戸尻側の縦框４４を障子４の面外方向に引き寄せることができ、そして、上框４１を、第一摺動部材５１および引寄せ部材５４によって障子４の面外方向に引き寄せることができる。これにより、気密材２６に対して障子全体を引き寄せることができ、気密性を向上できる。
【００５８】
［変形例］
本発明は、以上の実施形態で説明した構成のものに限定されず、本発明の目的を達成できる範囲での変形例は、本発明に含まれる。
例えば、前記実施形態では、下ガイド機構６０は、第一摺動部材５１および引寄せ部材６４を備えているが、これに加えて、下框４２の框室内見付け片部４０３に取り付けられる第二摺動部材５２Ａ，５２Ｂと、下レール２２１に取り付けられる窪み部材５５Ａ，５５Ｂとをさらに備えていてもよい。
【００５９】
前記実施形態では、第一摺動部材５１は、框室外見付け片部４０１の長手方向における中央部分に配置されているが、これに限定されず、戸先側よりや戸尻側よりに配置されてもよい。
【００６０】
前記実施形態では、上ガイド機構５０は、一つの第一摺動部材５１と、二つの第二摺動部材５２（５２Ａ，５２Ｂ）と、一つの引寄せ部材５４と、二つの窪み部材５５（５５Ａ，５５Ｂ）とを備えているが、これに限定されず、例えば、二つの第一摺動部材５１と、一つの第二摺動部材５２と、二つの引寄せ部材５４と、一つの窪み部材５５とを備えていてもよい。
この場合、二つの第一摺動部材５１は左右方向に離して戸先側および戸尻側に配置し、二つの第一摺動部材５１間に第二摺動部材５２を配置する。また、二つの引寄せ部材５４は左右方向に離して戸先側および戸尻側に配置し、二つの引寄せ部材５４間に窪み部材５５を配置する。
【００６１】
前記実施形態では、錠部材７０は縦框４３に取り付けられ、錠受け８０は縦枠２３に取り付けられているが、これに限定されず、例えば錠受け８０が縦框４３に取り付けられ、錠部材７０が縦枠２３に取り付けられてもよい。この場合、錠受け８０が縦框４３に取り付けられることで、押付け受部８５および引寄せ受部８６は縦框４３に設けられることとなり、また、錠部材７０が縦枠２３に取り付けられることで、押付け面７５および引寄せ面７６が縦枠２３に設けられることとなる。なお、ハンドル９１の回転操作によって錠受け８０が錠部材７０に対して相対的に上下動することによって、錠装置７は施錠・解錠動作する。
【００６２】
前記実施形態では、係合受け部８２は、係合ピン８２１に装着されたローラー８２２を備えているが、このローラー８２２の構成を省略してもよい。この場合、係合ピン８２１の軸部表面が引寄せ受部８６を構成する。
【００６３】
前記実施形態では、ガイド溝７３は上ガイド溝７３１と下ガイド溝７３２とによって構成されているが、これに限定されず、例えば上下方向に延びた一つのガイド溝によって構成されてもよく、この場合、当該一つのガイド溝に二つのガイドピン４３２が配置される。
【００６４】
前記実施形態では、下框４２の下溝部４２１に傾動可能な可傾戸車４６が配置されているが、これに限られず、例えば下框４２に対して障子４の面外方向に移動可能な戸車が配置されていてもよい。
【００６５】
前記実施形態では、錠装置７は縦框４３および縦枠２３間の上部、中央部および下部にそれぞれ設置されているが、これに限定されず、上部、中央部および下部のうちのいずれか一つまたは二つの部位だけに設置されていてもよい。
【００６６】
前記実施形態では、建具として片引き窓１を挙げたが、このほか、引き違い窓などとしても具体化可能である。
【符号の説明】
【００６７】
１…片引き窓（建具）、２…窓枠（枠体）、２０１…枠室外見付け片部（第一枠見付け片部）、２０２…枠見込み片部、２０３…枠室内見付け片部（第二枠見付け片部）、２１…上枠、２１１…上レール、２２…下枠、２２１…下レール、２３…縦枠、２４…縦枠、２４１…ストッパー部材、２５…中骨、２５１…枠室内見付け片部、２６…気密材、２７…押縁、３…固定窓、３１，４５…面材、４…障子、４０１…框室外見付け片部（第一障子見付け片部）、４０２…框見込み片部、４０３…框室内見付け片部（第二障子見付け片部）、４１…上框、４１１…上溝部、４２…下框、４２１…下溝部、４３…縦框、４３１…縦溝部、４３２…ガイドピン、４４…縦框、４６…可傾戸車、４６１…取付枠、４６２…可傾枠、４６３…戸車、５…ガイド機構、５０…上ガイド機構、５１…第一摺動部材、５１１，５２１，５４１，５５１，６４１…取付基部、５１２，５２２，５４２…突出部、５１３，５２３…リブ、５２（５２Ａ，５２Ｂ）…第二摺動部材、５４…引寄せ部材、５４３，５５４，６４４…テーパー面、５５（５５Ａ，５５Ｂ）…窪み部材、５５２…窪み部、５５３…底面、６０…下ガイド機構、６４…引寄せ部材、６４２…引寄せ部、６４３…孔形成部、７…錠装置、７０…錠部材、７１…錠基部、７１１…基片部、７１２…取付片部、７１２Ａ…取付孔、７１３…折曲片部、７２，２５２，４４１…係合片部、７２１…縦片部、７２２…傾斜片部、７３…ガイド溝、７３１…上ガイド溝、７３２…下ガイド溝、７５…押付け面、７５１…第一押付け部、７５２…第二押付け部、７６…引寄せ面、７６１…第一引寄せ部、７６２…第二引寄せ部、７９…押付け機構、８…戸尻側引寄せ機構、８０…錠受け、８１…錠受け基部、８２…係合受け部、８２１…係合ピン、８２１Ａ…鍔部、８２２…ローラー、８５…押付け受部、８６…引寄せ受部、８９…引寄せ機構（戸先側引寄せ機構）、９…操作機構、９１…ハンドル、Ｌ１，Ｌ２…突出長さ寸法。
【図１】
0006587915.tif 000002
【図２】
0006587915.tif 000003
【図３】
0006587915.tif 000004
【図４】
0006587915.tif 000005
【図５】
0006587915.tif 000006
【図６】
0006587915.tif 000007
【図７】
0006587915.tif 000008
【図８】
0006587915.tif 000009
【図９】
0006587915.tif 000010
【図１０】
0006587915.tif 000011
【図１１】
0006587915.tif 000012
【図１２】
0006587915.tif 000013
【図１３】
0006587915.tif 000014
【図１４】
0006587915.tif 000015
【図１５】
0006587915.tif 000016
【図１６】
0006587915.tif 000017
【図１７】
0006587915.tif 000018
【図１８】
0006587915.tif 000019